【事件の表示】
　特願２００７−　２６５４１「液晶表示装置」拒絶査定不服審判事件〔平成１９年　８月２３日出願公開、特開２００７−２１３０６９〕について、次のとおり審決する。
【結　論】
　本件審判の請求は、成り立たない。
【理　由】
１　手続の経緯
　平成１９年　２月　６日　特許出願（パリ条約による優先権主張
　　　　　　　　　　　　　平成１８年２月６日、大韓民国）
　平成２２年　１月２２日　手続補正書
　平成２４年　３月１４日　拒絶理由通知（同年３月２１日発送）
　平成２４年　６月　５日　意見書・手続補正書
　平成２４年１１月２０日　拒絶査定（同年１１月２７日送達）
　平成２５年　２月２５日　本件審判請求
　
２　本願発明
　本願の請求項１〜７に係る発明は、平成２４年６月５日に補正された特許請求の範囲の請求項１〜７に記載された事項によって特定されるものであるところ、請求項１に係る発明は、
「第１基板と、
　前記第１基板上に形成されているゲート電極を有するゲート線と、
　前記第１基板上に形成されている維持電極を有する維持電極線と、
　前記基板上に形成されるゲート絶縁膜と、
　前記ゲート絶縁膜上に形成される半導体層と、
　前記ゲート絶縁膜及び前記半導体層上に形成されるデータ線と、
　前記ゲート絶縁膜及び前記半導体層上に形成されるドレイン電極と、
　前記ゲート絶縁膜上に前記データ線と共に形成され、前記ドレイン電極と接続される維持導電体と、
　前記データ線、ドレイン電極及び維持導電体上に形成される保護膜と、
　前記保護膜上に形成され、前記ドレイン電極と接続され第１切開部を有する画素電極と、
　前記第１基板と対応して配置されている第２基板と、
　前記第２基板上に形成され、第２切開部を有する共通電極と、
　前記第１基板と前記第２基板との間に挟持された液晶層とを備え、
　前記維持電極は、本体及び前記本体から分岐し、前記切開部と重畳する分岐部を有し、
　前記維持導電体は、前記ドレイン電極から延長し、前記切開部と重畳する延長部を有し、
　前記分岐部と前記延長部とは、前記ゲート絶縁膜を介在して互いに重畳しており、
　前記液晶層の誘電率ε、前記液晶層の厚さｄ、前記保護膜の誘電率ε’、前記保護膜の厚さｄ’は、εｄ’/ε’ｄ０．１を満足しており、かつ、前記維持導電体に印加される電圧ＶＳＣ、前記画素電極に印加される電圧ＶＰは、ＶＳＣＶＰ（１＋εｄ’/ε’ｄ）の関係を満たす、液晶表示装置。」（以下「本願発明」という。）　
にあるものと認める。
　なお、請求項１には「前記ゲート絶縁膜及び前記半導体層上に形成されるデータと、」と記載されているが、「…ゲート絶縁膜…上に形成されるデータ」は技術的に理解できないこと、「前記ゲート絶縁膜上に前記データ線と共に形成され、前記ドレイン電極と接続される維持導電体と、」との記載によれば「ゲート絶縁膜」上に「データ線」が形成されていることから、「データ」は「データ線」の誤記と認め、上記のように認定した。
　
３　引用する刊行物と引用発明
（１）刊行物
　原査定の拒絶の理由に引用され、本願の優先権主張日前に日本国内において頒布された特開２００５−３９１６号公報（以下「刊行物」という。）には、図面とともに以下の記載がある（当審注：下線は、引用発明の認定と特に関係する箇所に、当審が付したものである。）。
　
ア　「【請求項２９】
第１基板と、第２基板と、前記第１基板と前記第２基板との間に設けられた液晶層とを備え、複数の絵素領域を有し、
前記第１基板は、前記液晶層側に前記複数の絵素領域のそれぞれごとに設けられた絵素電極と、前記絵素電極に電気的に接続されたスイッチング素子とを有し、
前記第２基板は、前記絵素電極に前記液晶層を介して対向する対向電極を有し、
前記複数の絵素領域のそれぞれにおいて、前記絵素電極は、少なくとも１つの開口部またはスリットを有し、前記液晶層は、前記絵素電極と前記対向電極との間に電圧が印加されていないときに垂直配向状態をとり、且つ、前記絵素電極と前記対向電極との間に電圧が印加されたときに、前記絵素電極の前記少なくとも１つの開口部またはスリットのエッジ部に生成される斜め電界によって配向規制される、液晶表示装置であって、
前記複数の絵素領域のそれぞれにおいて、前記絵素電極および前記対向電極と前記液晶層とによって構成される液晶容量に電気的に並列に接続された補助容量をさらに備え、
前記補助容量の少なくとも一部が、前記絵素電極の前記少なくとも１つの開口部またはスリットに重なる、液晶表示装置
【請求項３０】
前記スイッチング素子は薄膜トランジスタである
【請求項３１】
前記補助容量は、補助容量配線と、前記補助容量配線に対向し、前記薄膜トランジスタのドレイン電極に電気的に接続された補助容量電極と、前記補助容量配線と前記補助容量電極との間に設けられた第１の絶縁層とを有する
【請求項３２】
前記第１基板は、少なくとも前記薄膜トランジスタおよび前記補助容量電極を覆う第２の絶縁層をさらに有し、
前記絵素電極は、前記第２の絶縁層上に形成されている
　
イ　「【０００１】
【発明の属する技術分野】本発明は、液晶表示装置に関し、特に、広視野角特性を有し、高品位の表示を行う液晶表示装置に関する。」　
　
ウ　「【０００８】【発明が解決しようとする課題】しかしながら、液晶表示装置の普及に伴い、液晶表示装置に要求される表示特性は高まってきており、より明るい表示を行うためのいっそうの高開口率化が望まれている。【０００９】本発明は、上記問題を解決するためになされたものであり、広視野角特性を有し、表示品位が高く、且つ、明るい表示が可能な液晶表示装置を提供することを目的とする。」　
　
エ　「【０２４０】（その他の実施形態）ここまでは、放射状傾斜配向状態をとる液晶ドメインを形成するための配向規制構造（単位中実部と開口部とを有する電極構造）を備えた液晶表示装置について本発明を説明したが、本発明はこれに限定されず、電圧無印加時に垂直配向状態をとる垂直配向型の液晶層を備え、開口部やスリットを有する電極構造によって配向規制を行う液晶表示装置全般に広く用いることができ、このような液晶表示装置の実効開口率を向上することができる。　
【０２４１】図２７（ａ）および（ｂ）を参照しながら、本発明による他の液晶表示装置７００を説明する。液晶表示装置７００は、いわゆるＭＶＡ（Ｍｕｌｔｉ−ｄｏｍａｉｎ　Ｖｅｒｔｉｃａｌｌｙ　Ａｌｉｇｎｅｄ）型の液晶表示装置である。図２７（ａ）は基板法線方向から見た上面図であり、図２７（ｂ）は図２７（ａ）中の２７Ｂ−２７Ｂ’線に沿った断面図に相当する。図２７（ｂ）は、液晶層に電圧を印加した状態を示している。　
【０２４２】液晶表示装置７００は、アクティブマトリクス基板（ＴＦＴ基板）７００ａと、対向基板（カラーフィルタ基板）７００ｂと、ＴＦＴ基板７００ａと対向基板７００ｂとの間に設けられた垂直配向型の液晶層３０とを有している。　
【０２４３】液晶層３０に含まれる液晶分子３０ａは、負の誘電率異方性を有し、ＴＦＴ基板７００ａおよび対向基板７００ｂの液晶層３０側の表面に設けられた垂直配向層としての垂直配向膜（不図示）によって、液晶層３０に電圧が印加されていないとき、垂直配向膜の表面に対して垂直に配向する。　
【０２４４】液晶表示装置７００の
ＴＦＴ基板７００ａは
絵素電極１９とを有し
対向基板７００ｂは、透明基板（例えばガラス基板）２１とその表面に形成された対向電極２２とを有し
【０２４５】ＴＦＴ基板７００ａが有する絵素電極１９は、図２７（ａ）に示すように、複数のスリット１９ａを有している。絵素の上半分では、複数のスリット１９ａは、それぞれ左上から右下に向かって延び、所定の間隔で互いに平行になるように配置されている。また、絵素の下半分では、複数のスリット１９ａは、それぞれ左下から右上に向かって延び、所定の間隔で互いに平行になるように配置されている。　
【０２４６】絵素電極１９と対向電極２２との間に電圧を印加すると、絵素電極１９のスリット１９ａのエッジ部（スリット１９ａの境界（外延）を含むスリット１９ａの内側周辺）上の液晶層３０内には、傾斜した等電位線ＥＱで表される斜め電界が形成される。従って、電圧無印加時に垂直配向状態にある負の誘電異方性を有する液晶分子３０ａは、電圧印加時にはスリット１９ａのエッジ部に生成される斜め電界の傾斜方向に沿って傾斜する。つまり、液晶層３０は、絵素電極１９と対向電極２２との間に電圧が印加されたときに、絵素電極１９の複数のスリット１９ａのエッジ部に生成される斜め電界によって配向規制される。　
【０２４７】液晶表示装置７００では、スリット１９ａのエッジ部に生成される斜め電界によって液晶層３０が配向規制される結果、電圧印加時には、絵素領域内の液晶分子３０ａは、スリット１９ａの端辺に直交する４つの方位（図２７（ａ）の右上方向、右下方向、左上方向、左下方向）に配向する。言い換えると、液晶表示装置７００においては、絵素領域は、配向分割されている。そのため、液晶表示装置７００は、良好な視野角特性を有している。　
【０２４８】また、液晶表示装置７００の対向基板７００ｂは、液晶層３０側の表面に複数のリブ２９を有している。リブ２９が延びる方向とスリット１９ａが延びる方向とは一致し、リブ２９は、２つの隣接したスリット１９ａ間に位置するように設けられている。　
【０２４９】リブ２９の表面は垂直配向性を有しており（典型的には、リブ２９を覆うように垂直配向膜（不図示）が形成されている。）、液晶分子３０ａは、リブ２９が有する傾斜側面２９ｓのアンカリング効果によって、傾斜側面２９ｓに対してほぼ垂直に配向する。このような状態の液晶層３０に電圧を印加すると、リブ２９ｓの傾斜側面２９ｓのアンカリング効果による傾斜側面２９ｓ上の傾斜配向と整合するように、リブ２９近傍の他の液晶分子３０ａが傾斜する。　
【０２５０】絵素電極１９のスリット１９ａのエッジ部に生成される斜め電界による配向規制方向と、リブ２９による配向規制方向とは整合するので、電圧印加時に斜め電界によって配向分割される液晶層の配向は、リブ２９によってさらに安定化される。なお、本実施形態では、対向基板７００ｂが、絵素電極１９の複数のスリット１９ａの間に対応した領域に設けられた複数のリブ２９を有する構成を示したが、この構成に代えて、
対向電極２２が、絵素電極１９の複数のスリット１９ａの間に対応した領域に設けられた複数のスリットを有する
【０２５１】液晶表示装置７００のＴＦＴ基板７００ａには、補助容量４４が形成されている。補助容量４４は、具体的には、補助容量配線６と、この補助容量配線６に対向し、薄膜トランジスタ（不図示）のドレイン電極に電気的に接続された補助容量電極８と、これらの間に設けられた第１の絶縁層（第１の層間絶縁膜）３とによって構成されている。　
【０２５２】
補助容量配線６は、走査配線
に略平行に延びる配線幹部６ａと、配線幹部６ａから延設され、スリット１９ａに沿って延びる４つの配線枝部６ｂとを有する。また、補助容量電極８は、配線幹部６ａに第１の絶縁層３を介して対向する電極幹部８ａと、電極幹部８ａから延設され、配線枝部６ｂに第１の絶縁層３を介して対向する電極枝部８ｂとを有する
【０２５３】上述した配線や薄膜トランジスタを覆うように第２の絶縁層（第２の層間絶縁膜）７が設けられており、絵素電極１９はこの第２の絶縁層７上に形成されている。本実施形態では、第２の絶縁層７は樹脂材料からなる厚膜である。　
【０２５４】液晶表示装置７００においては、図２７（ａ）および（ｂ）に示すように、補助容量４４の一部が絵素電極１９のスリット１９ａに重なっている。具体的には、配線幹部６ａおよび電極幹部８ａの一部と、配線枝部６ｂおよび電極枝部８ｂがスリット１９ａに重なるように配置され、そのことによって補助容量４４の一部がスリット１９ａに重なっている。　
【０２５５】従って、典型的には遮光性の部材を含んで構成される補助容量４４に起因した実効開口率（透過率）の低下を抑制し、表示に寄与する領域（絵素電極１９のうちの導電膜が存在する部分）の面積を大きくすることができる。そのため、明るい表示が実現される。　
【０２５６】また、本実施形態では、
ＴＦＴ基板７００ａが
走査配線
信号配線
【０２５７】なお、配向規制を行うのに十分な強さの斜め電界をスリット１９ａのエッジ部に生成するためには、第２の絶縁層７を本実施形態のように厚膜とする鈴木様ことが好ましい。補助容量４４を構成する
補助容量電極８は、薄膜トランジスタのドレイン電極に電気的に接続されており、絵素電極１９の導電膜と実質的に同じ電位
【０２５８】第２の絶縁層７を厚膜とすると、第２の絶縁層７による電圧降下を十分大きくし、スリット１９ａで等電位線ＥＱを十分に落ち込ませることができるので、スリット１９ａのエッジ部に十分な強さの斜め電界を生成することができる。また、第２の絶縁層７を厚膜とすることによって、第２の絶縁層７の液晶層３０側の表面を実質的に平坦とすることができるので、その上に形成される絵素電極１９に段差が発生することを防止できる。　
【０２５９】十分に強い配向規制力を得るためには、第２の絶縁層７の厚さは、具体的には、１μｍ以上であることが好ましく、２．５μｍ以上であることがさらに好ましい。また、第２の絶縁層７を樹脂材料（例えばアクリル樹脂などの感光性を有する透明樹脂材料）から形成すると、第２の絶縁層７の厚膜化が容易となる。　
【０２６０】開口率の十分な向上を図る観点からは、補助容量４４のできるだけ多くの部分が絵素電極１９のスリット１９ａに重なっていることが好ましい。具体的には、スリット１９ａに補助容量４４の１／４以上が重なっていることが好ましく、１／２以上が重なっていることがより好ましく、ほぼ全ての部分が重なっていることがさらに好ましい。本実施形態では、補助容量配線６および補助容量電極８は、スリット１９ａに沿って延びる配線枝部６ｂおよび電極枝部８ｂを有している。このように、補助容量配線６および補助容量電極８が分岐構造を有していると、補助容量４４のより多くの部分をスリット１９ａ（あるいは開口部）に重ねることができ、開口率の高い設計を容易に実現することができる。」
　
オ　上記エの記載を踏まえて図２７（ａ）、（ｂ）を見ると、ＴＦＴ基板７００ａは、透明基板１１上に、補助容量配線６（配線幹部６ａ、配線枝部６ｂ）、第１の絶縁層３及び補助容量電極（電極幹部８ａ、電極枝部８ｂ）から構成される補助容量、第２の絶縁層７、絵素電極１９をその順に有することが理解できる。　
　
カ　上記エ【０２５２】の記載「補助容量配線６は、走査配線（ここでは不図示）に略平行に延びる配線幹部６ａと、…配線枝部６ｂとを有する」を踏まえて図２７（ａ）を見ると、配線幹部６ａは、その一部が幅方向に広がっていることが理解できる。
　
（２）引用発明
ア　上記「（１）ア」の記載より、請求項３２を独立形式に書き改めると、刊行物には、
「第１基板と、第２基板と、前記第１基板と前記第２基板との間に設けられた液晶層とを備え、複数の絵素領域を有し、
　前記第１基板は、前記液晶層側に前記複数の絵素領域のそれぞれごとに設けられた絵素電極と、前記絵素電極に電気的に接続されたスイッチング素子とを有し、
　前記第２基板は、前記絵素電極に前記液晶層を介して対向する対向電極を有し、
　前記複数の絵素領域のそれぞれにおいて、前記絵素電極は、少なくとも１つの開口部またはスリットを有し、前記液晶層は、前記絵素電極と前記対向電極との間に電圧が印加されていないときに垂直配向状態をとり、且つ、前記絵素電極と前記対向電極との間に電圧が印加されたときに、前記絵素電極の前記少なくとも１つの開口部またはスリットのエッジ部に生成される斜め電界によって配向規制される、液晶表示装置であって、
　前記複数の絵素領域のそれぞれにおいて、前記絵素電極および前記対向電極と前記液晶層とによって構成される液晶容量に電気的に並列に接続された補助容量をさらに備え、
　前記補助容量の少なくとも一部が、前記絵素電極の前記少なくとも１つの開口部またはスリットに重なり、
　前記スイッチング素子は薄膜トランジスタであり、
　前記補助容量は、補助容量配線と、前記補助容量配線に対向し、前記薄膜トランジスタのドレイン電極に電気的に接続された補助容量電極と、前記補助容量配線と前記補助容量電極との間に設けられた第１の絶縁層とを有し、
　前記第１基板は、少なくとも前記薄膜トランジスタおよび前記補助容量電極を覆う第２の絶縁層をさらに有し、
　前記絵素電極は、前記第２の絶縁層上に形成されている、液晶表示装置。」
が記載されている。
　
イ　上記アの記載によれば、「第１基板」は、「絵素電極」、「スイッチング素子」を有する基板であり、「第２基板」は「対向電極」有する基板である。一方、上記エ【０２４４】に記載されたその他の実施形態によれば、「ＴＦＴ基板」が「絵素電極」を有する基板であり、「対向基板」が「対向電極」を有する基板である。そうすると、上記アに記載された「第１基板」、「第２基板」は、上記エに記載されたその他の実施形態では、それぞれ、「ＴＦＴ基板」、「対向基板」である。
　
ウ　上記「（１）エ【０２５６】」によれば、ＴＦＴ基板は、走査配線、信号配線を有する。また、上記（１）オによれば、ＴＦＴ基板は、透明基板１１上に、補助容量配線（配線幹部、配線枝部）、第１の絶縁層及び補助容量電極（電極幹部、電極枝部）を有する補助容量、第２の絶縁層、絵素電極をその順に有する。
　
エ　上記（１）エ【０２４４】によれば、対向基板は、透明基板２１とその表面に形成された対向電極を有する。また、上記「（１）エ【０２５０】」によれば、対向電極は、絵素電極の複数のスリット１９ａの間に対応した領域に設けられた複数のスリットを有する。なお、以下においては、絵素電極が有するスリットを「スリット１９ａ」とし、対向電極が有する「スリット」と区別する。
　
オ　上記「（１）エ【０２５７】」によれば、補助容量電極は、薄膜トランジスタのドレイン電極に電気的に接続されており、絵素電極の導電膜と実質的に同じ電位である。
　
カ　上記「（１）エ【０２５２】」によれば、補助容量配線は、走査配線に略平行に延びる配線幹部と、配線幹部から延設され、スリット１９ａに沿って延びる４つの配線枝部とを有する。また、補助容量電極は、配線幹部に第１の絶縁層を介して対向する電極幹部と、電極幹部から延設され、配線枝部に第１の絶縁層を介して対向する電極枝部とを有する。そして、上記（１）カによれば、配線幹部は、その一部が幅方向に広がっている。
　
キ　上記ア〜カによれば、刊行物には、以下の発明が記載されている。
「ＴＦＴ基板と、対向基板と、前記ＴＦＴ基板と前記対向基板との間に設けられた液晶層とを備え、複数の絵素領域を有し、
　前記ＴＦＴ基板は、走査配線、信号配線を有すると共に、透明基板１１上に、補助容量配線（配線幹部、配線枝部）、第１の絶縁層及び補助容量電極（電極幹部、電極枝部）によって構成される補助容量、第２の絶縁層、絵素電極をその順に有し、さらに、前記絵素電極に電気的に接続されたスイッチング素子とを有し、前記絵素電極は前記液晶層側に前記複数の絵素領域のそれぞれごとに設けられ、
　前記対向基板は、透明基板２１とその上に形成された対向電極を有し、前記対向電極は、前記絵素電極に前記液晶層を介して対向し、
　前記複数の絵素領域のそれぞれにおいて、前記絵素電極は、少なくとも１つの開口部またはスリット１９ａを有し、前記液晶層は、前記絵素電極と前記対向電極との間に電圧が印加されていないときに垂直配向状態をとり、且つ、前記絵素電極と前記対向電極との間に電圧が印加されたときに、前記絵素電極の前記少なくとも１つの開口部またはスリット１９ａのエッジ部に生成される斜め電界によって配向規制される、液晶表示装置であって、
　前記複数の絵素領域のそれぞれにおいて、前記絵素電極および前記対向電極と前記液晶層とによって構成される液晶容量に電気的に並列に接続された補助容量をさらに備え、
　前記補助容量の少なくとも一部が、前記絵素電極の前記少なくとも１つの開口部またはスリット１９ａに重なり、
　前記スイッチング素子は薄膜トランジスタであり、
　前記補助容量は、補助容量配線と、前記補助容量配線に対向し、前記薄膜トランジスタのドレイン電極に電気的に接続されて絵素電極と実質的に同じ電位である補助容量電極と、前記補助容量配線と前記補助容量電極との間に設けられた第１の絶縁層とを有し、
　前記ＴＦＴ基板は、少なくとも前記薄膜トランジスタおよび前記補助容量電極を覆う第２の絶縁層をさらに有し、
　前記絵素電極は、前記第２の絶縁層上に形成されており、
　前記対向電極は、前記絵素電極の複数のスリット１９ａの間に対応した領域に設けられた複数のスリットを有し、
　前記補助容量配線は、走査配線に略平行に延びる配線幹部と、配線幹部から延設され、スリット１９ａに沿って延びる４つの配線枝部とを有し、前記配線幹部は、その一部が幅方向に広がっており、
　前記補助容量電極は、前記配線幹部に前記第１の絶縁層を介して対向する電極幹部と、前記電極幹部から延設され、前記配線枝部に前記第１の絶縁層を介して対向する電極枝部とを有する、
　液晶表示装置。」（以下「引用発明」という。）
　
４　対比
　本願発明と引用発明を対比する。
（１）引用発明の「透明基板１１」は本願発明の「第１基板」に相当し、以下同様に、「走査配線」は「ゲート線」に、「補助容量配線」は「維持電極線」に、「信号配線」は「データ線」に、「ドレイン電極」は「ドレイン電極」に、「補助容量電極」は「維持導電体」に、「絵素電極」は「画素電極」に、「透明基板２１」は「第２基板」に、「対向電極」は「共通電極」に、「液晶層」は「液晶層」に、「液晶表示装置」は「液晶表示装置」に、それぞれ、相当する。
　
（２）本願発明の「前記第１基板上に形成されている維持電極を有する維持電極線」と、引用発明の「補助容量配線」であって、「透明基板１１上に、補助容量配線（配線幹部、配線枝部）、…をその順に有」し、「走査配線に略平行に延びる配線幹部と、配線幹部から延設され、スリット１９ａに沿って延びる４つの配線枝部とを有し、前記配線幹部は、その一部が幅方向に広がって」いる「補助容量配線」を対比する。
ア　上記（１）に記載したとおり、引用発明の「透明基板１１」は本願発明の「第１基板」に相当し、引用発明の「補助容量配線」は本願発明の「維持電極線」に相当する。
イ　引用発明では、「透明基板１１上に、補助容量配線…をその順に有」しているところ、「補助容量配線」は「透明基板１１」上に形成されていると言える。
ウ　次に、本願発明の「維持電極」の技術上の意義を発明の詳細な説明を参酌して検討する。本願の発明の詳細な説明には、「【００１７】…
維持電極線１３１は、上下に拡張された維持電極１３７を有する
上下に突出した形態
上下の斜線方向にそれぞれ延在
縦方向に延在
斜線に延在
エ　上記ウの検討を踏まえると、引用発明における「配線幹部」の「幅方向に広がって」いる部分と、「配線幹部から延設され、スリット１９ａに沿って延びる４つの配線枝部」は、本願発明の「維持電極」に相当する。してみると、引用発明の「走査配線に略平行に延びる配線幹部と、配線幹部から延設され、スリット１９ａに沿って延びる４つの配線枝部とを有し、前記配線幹部は、その一部が幅方向に広がって」いる「補助容量配線」は、本願発明の「維持電極を有する維持電極線」に相当する。
オ　上記ア〜エによれば、両者は相当関係にある。
　
（３）本願発明の「前記基板上に形成されるゲート絶縁膜」と、引用発明の「第１の絶縁層」であって、「透明基板１１上に、補助容量配線（配線幹部、配線枝部）、第１の絶縁層及び補助容量電極（電極幹部、電極枝部）によって構成される補助容量、第２の絶縁層、絵素電極をその順に有」するとされる「第１の絶縁層」を対比する。
ア　はじめに、本願発明における「前記基板」について検討する。本願発明は、「第１基板」と「第２基板」を備えるところ、「前記基板」の前に前出する基板は「第１基板」であるから、「前記基板」は「第１基板」を指すものと解される。
イ　上記アを踏まえて検討すると、上記（１）に記載したとおり、引用発明の「透明基板１１」は本願発明の「前記基板」に相当する。
ウ　また、本願発明の「ゲート絶縁膜」と引用発明の「第１の絶縁層」を対比すると、両者は「絶縁膜」の点で一致する。
エ　そうすると、両者は、「前記基板上に形成される絶縁膜」の点で一致する。
　
（４）本願発明の「前記ゲート絶縁膜上に前記データ線と共に形成され、前記ドレイン電極と接続される維持導電体」と、引用発明の「補助容量電極」であって、「前記補助容量は、補助容量配線と、前記補助容量配線に対向し、前記薄膜トランジスタのドレイン電極に電気的に接続されて絵素電極と実質的に同じ電位である補助容量電極と、前記補助容量配線と前記補助容量電極との間に設けられた第１の絶縁層とを有」するとされる「補助容量電極」を対比する。
　上記（１）に記載したとおり、引用発明の「補助容量電極」は本願発明の「維持導電体」に相当する。また、上記（３）イに記載したとおり、本願発明の「ゲート絶縁膜」と引用発明の「第１の絶縁層」は「絶縁膜」の点で一致する。してみると、両者は、「前記絶縁膜上に形成され、前記ドレイン電極と接続される維持導電体」の点で一致する。
　
（５）本願発明の「前記データ線、ドレイン電極及び維持導電体上に形成される保護膜」と、引用発明の「少なくとも前記薄膜トランジスタおよび前記補助容量電極を覆う第２の絶縁層」を対比する。
ア　上記（１）に記載したとおり、引用発明の「補助容量電極」は本願発明の「維持導電体」に相当する。
イ　次に、本願発明の「保護膜」の技術上の意味について、発明の詳細な説明を参酌して検討する。本願の発明の詳細な説明には、「【００２６】データ線１７１、ドレイン電極１７５、維持導電体１７７及び露出している線状半導体１５１部分上には、保護膜１８０が形成されている。保護膜１８０は、無機絶縁物または有機絶縁物などで形成され、表面が平坦化してもよい。」との記載がある。前記記載によれば、本願発明の「保護膜」は、無機絶縁物または有機絶縁物などで形成されるものである。してみると、引用発明の「第２の絶縁層」は、本願発明の「保護膜」に相当する。
ウ　引用発明は、「…前記薄膜トランジスタのドレイン電極に…」との構成を有しており、「薄膜トランジスタ…を覆う」ことは「ドレイン電極」を覆うことである。
エ　以上のことから、両者は、「ドレイン電極及び維持導電体上に形成される保護膜」の点で一致する。
　
（６）本願発明の「前記保護膜上に形成され、前記ドレイン電極と接続され第１切開部を有する画素電極」と、引用発明の「絵素電極」であって、「前記ＴＦＴ基板は、…、透明基板１１上に、…、第２の絶縁層、絵素電極をその順に有し、さらに、前記絵素電極に電気的に接続されたスイッチング素子とを有し」、「前記スイッチング素子は薄膜トランジスタであり」、「前記絵素電極は、少なくとも１つの開口部またはスリット１９ａを有」するとされる「絵素電極」を対比する。
　上記（１）に記載したとおり、引用発明の「絵素電極」は本願発明の「画素電極」に相当し、また、上記（５）イに記載したとおり、引用発明の「第２の絶縁層」は、本願発明の「保護膜」に相当する。そして、引用発明の絵素電極が有する「スリット１９ａ」は、本願発明の「第１切開部」に相当する。
　してみると、両者は、「前記保護膜上に形成され、薄膜トランジスタと接続され第１切開部を有する画素電極」の点で一致する。
　
（７）本願発明の「前記第１基板と対応して配置されている第２基板」と、引用発明の「透明基板２１」であって、「前記対向基板は、透明基板２１とその上に形成された対向電極を有し、前記対向電極は、前記絵素電極に前記液晶層を介して対向」するとされる「透明基板２１」を対比する。
　上記（１）に記載したとおり、引用発明の「透明基板２１」が本願発明の「第２基板」の相当する。引用発明の「透明基板２１」を有する「対向基板」は、「絵素電極」と対向しているところ、「絵素電極」は、「透明基板１１」上に有するものである。そうすると、引用発明の「透明基板２１」は、「透明基板１１」と対向している。
　してみると、両者は相当関係にある。
　
（８）本願発明の「前記第２基板上に形成され、第２切開部を有する共通電極」と、引用発明の「対向電極」であって、「前記対向基板は、透明基板２１とその上に形成された対向電極を有し」、「前記対向電極は、前記絵素電極の複数のスリット１９ａの間に対応した領域に設けられた複数のスリットを有」するとされる「対向電極」を対比する。
　上記（１）に記載したとおり、引用発明の「透明基板２１」が本願発明の「第２基板」に相当し、引用発明の「対向電極」が本願発明の「共通電極」に相当する。そして、引用発明の「対向電極」が有する「スリット」は、本願発明の「第２切開部」に相当する。
　してみると、両者は相当関係にある。
　
（９）本願発明の「前記第１基板と前記第２基板との間に挟持された液晶層」と、引用発明の「前記ＴＦＴ基板と前記対向基板との間に設けられた液晶層」を対比する。
　引用発明は、「前記ＴＦＴ基板は、…、透明基板１１…をその順に有し」、「前記対向基板は、透明基板２１…を有」するところ、上記（１）に記載したとおり、引用発明の「透明基板１１」は本願発明の「第１基板」に相当し、以下同様に、「透明基板２１」は「第２基板」に、「液晶層」は「液晶層」に、それぞれ相当する。
　してみると、両者は相当関係にある。
　
（１０）本願発明の「前記維持電極は、本体及び前記本体から分岐し、前記切開部と重畳する分岐部を有」することと、引用発明の「前記補助容量配線は、走査配線に略平行に延びる配線幹部と、配線幹部から延設され、スリット１９ａに沿って延びる４つの配線枝部とを有し、前記配線幹部は、その一部が幅方向に広がって」いることを対比する。
ア　はじめに、本願発明の「前記切開部」は、「第１切開部」、「第２切開部」の何れを指すのか、あるいはその両者を指すのか不明瞭であるので、発明の詳細な説明の記載を参酌して検討する。
　本願の発明の詳細な説明には、「【００２９】…。本発明の実施例による液晶表示装置の薄膜トランジスタ表示板で互いに重畳し、ストレージキャパシタを構成する
維持電極１３７と維持導電体１７７は、画素電極の切開部９２〜９５ｂの下に配置されている分岐部１３７ａ、１３７ｄ、１３７ｅ及び延長部１７７ａ、１７７ｄ、１７７ｅを有する
イ　上記（２）ウで検討したとおり、本願発明の「維持電極」は、維持電極線の上下に拡張された部分（例えば、上下に突出した形態、斜め方向や縦方向に延在した部分）を意味するものと解される。そうすると、引用発明の配線幹部のうち幅方向に広がっている部分が本願発明の「本体」に相当し、引用発明の「配線幹部から延設され、スリット１９ａに沿って延びる４つの配線枝部」が本願発明の「前記本体から分岐し、前記切開部と重畳する分岐部」に相当する。そして、引用発明の「補助容量配線」のうち「幅方向に広がって」いる部分と「配線枝部」を併せたものが、本願発明の「維持電極」に相当する。
　してみると、両者は相当関係にある。
　
（１１）本願発明の「前記維持導電体は、前記ドレイン電極から延長し、前記切開部と重畳する延長部を有」することと、引用発明の「前記薄膜トランジスタのドレイン電極に電気的に接続されて絵素電極と実質的に同じ電位である補助容量電極」であって、「前記補助容量電極は、前記配線幹部に前記第１の絶縁層を介して対向する電極幹部と、前記電極幹部から延設され、前記配線枝部に前記第１の絶縁層を介して対向する電極枝部とを有」し、「配線枝部」が「スリット１９ａに沿って延びる」ことを対比する。
ア　はじめに、本願発明の「前記切開部」は、「第１切開部」、「第２切開部」の何れを指すのか、あるいはその両者を指すのか不明瞭であるので、発明の詳細な説明の記載を参酌して検討する。
　本願の発明の詳細な説明には、「【００２９】…。本発明の実施例による液晶表示装置の薄膜トランジスタ表示板で互いに重畳し、ストレージキャパシタを構成する
維持電極１３７と維持導電体１７７は、画素電極の切開部９２〜９５ｂの下に配置されている分岐部１３７ａ、１３７ｄ、１３７ｅ及び延長部１７７ａ、１７７ｄ、１７７ｅを有する
イ　上記（１）に記載したとおり、引用発明の「補助容量電極」は、本願発明の「維持導電体」に相当する。また、引用発明の「ドレイン電極に電気的に接続されて」いることは本願発明の「ドレイン電極から延長」していることに相当し、引用発明の「配線枝部」が「スリット１９ａに沿って延びる」ことと併せれば、引用発明の「前記配線枝部に前記第１の絶縁層を介して対向する電極枝部」は、本願発明の「前記切開部と重畳する延長部」に相当する。
　してみると、両者は相当関係にある。
　
（１２）本願発明の「前記分岐部と前記延長部とは、前記ゲート絶縁膜を介在して互いに重畳して」いることと、引用発明の「前記配線枝部に前記第１の絶縁層を介して対向する電極枝部」を対比する。
　引用発明の「配線枝部」は本願発明の「分岐部」に相当し、引用発明の「電極枝部」は本願発明の「延長部」に相当する。また、本願発明の「ゲート絶縁膜」と引用発明の「第１の絶縁層」は、「絶縁膜」の点で一致する。
　してみると、両者は、「前記分岐部と前記延長部とは、前記絶縁膜を介在して互いに重畳して」いる点で一致する。
　
（１３）以上のことから、本願発明と引用発明は、
「第１基板と、
　ゲート線と、
　前記第１基板上に形成されている維持電極を有する維持電極線と、
　前記基板上に形成される絶縁膜と、
　データ線と、
　ドレイン電極と、
　前記絶縁膜上に形成され、前記ドレイン電極と接続される維持導電体と、
　ドレイン電極及び維持導電体上に形成される保護膜と、
　前記保護膜上に形成され、薄膜トランジスタに接続され第１切開部を有する画素電極と、
　前記第１基板と対応して配置されている第２基板と、
　前記第２基板上に形成され、第２切開部を有する共通電極と、
　前記第１基板と前記第２基板との間に挟持された液晶層とを備え、
　前記維持電極は、本体及び前記本体から分岐し、前記切開部と重畳する分岐部を有し、
　前記維持導電体は、前記ドレイン電極から延長し、前記切開部と重畳する延長部を有し、
　前記分岐部と前記延長部とは、前記絶縁膜を介在して互いに重畳している、
　液晶表示装置。」
の点で一致し、以下の点で相違する。
　
相違点１
　本願発明は、
（ア）「ゲート線」が、前記第１基板上に形成されているゲート電極を有するゲート線であり、
（イ）「前記基板上に形成される絶縁膜」が、「ゲート絶縁膜」であり、
（ウ）前記基板上に形成される絶縁膜上に、「半導体層」、「データ線」、「ドレイン電極」が形成されるとともに、前記「ドレイン電極」は「半導体層」にも形成され、
（エ）画素電極と接続される薄膜トランジスタの電極が、「ドレイン電極」であるのに対し、
　引用発明は、そのような構成を有するものなのか否か明らかではない点。
　　
相違点２
　本願発明は、上記相違点１（ウ）で前記基板上に形成される絶縁膜上に形成されるとした「データ線」が、「半導体層」上にも形成されるのに対し、引用発明は、そのような構成を有するものなのか否か明らかではない点。
　
相違点３
　本願発明は、維持導電体がデータ線と共に形成されるのに対し、引用発明は、そのように形成されるのか否か明らかではない点。
　
相違点４
　本願発明は、「保護膜」がデータ線上に形成されるのに対し、引用発明は、そのような構成を有するものなのか否か明らかではない点。
　
相違点５
　本願発明は、「前記液晶層の誘電率ε、前記液晶層の厚さｄ、前記保護膜の誘電率ε’、前記保護膜の厚さｄ’は、εｄ’/ε’ｄ０．１を満足しており、かつ、前記維持導電体に印加される電圧ＶＳＣ、前記画素電極に印加される電圧ＶＰは、ＶＳＣＶＰ（１＋εｄ’/ε’ｄ）の関係を満たす」のに対し、引用発明は、そのような関係を満たすものなのか否か明らかでない点。
　
５　判断
　以下、上記相違点について検討する。
（１）相違点１について
　薄膜トランジスタを有する液晶表示装置において、上記（ア）〜（エ）の構成を備えること、すなわち、基板上にゲート線を形成すること、ゲート線がゲート電極を有すること、基板上に形成する絶縁膜をゲート絶縁膜とすること、前記ゲート絶縁膜上に半導体層、データ線、ドレイン電極を形成すること、薄膜トランジスタのドレイン電極と画素電極を接続することは、何れも周知の技術事項である。引用発明が前記周知の技術事項を備え、上記相違点１に係る本願発明の発明特手事項を備えることに困難性は無い。
　
（２）相違点２について
　データ線が半導体層上に形成されることは、例えば、原査定の拒絶の理由に引用された特開２００５−１８０７９号公報（【００１５】には、「半導体層は、データ線の下に形成され、…」と記載されている。）に記載される様に、周知の技術事項である。そうすると、引用発明において、前記周知の技術事項を採用し、上記相違点２に係る本願発明の発明特定事項を備えることに困難性は無い。
　
（３）相違点３について
　上記（１）に記載したとおり、ゲート絶縁膜上にデータ線を形成することが周知の技術手段であるところ、同じ絶縁膜上に「補助容量電極」を有するのであるから、補助容量電極を信号配線と共に形成することに困難性は無い。してみると、引用発明において、上記相違点３に係る本願発明の発明特定事項を備えることに困難性は無い。
　
（４）相違点４について
　引用発明は、「ＴＦＴ基板」が、「走査配線…を有すると共に、透明基板１１上に、補助容量配線（配線幹部、配線枝部）、第１の絶縁層及び補助容量電極（電極幹部、電極枝部）によって構成される補助容量、第２の絶縁層、絵素電極をその順に有」するところ、「前記対向電極は、前記絵素電極に前記液晶層を介して対向」することを併せれば、「第２の絶縁層」上の「絵素電極」が「ＴＦＴ基板」（あるいは「透明基板１１」）の最上層に位置する。そうすると、「ＴＦＴ基板」が有する「走査配線」は、「第２の絶縁層」の下に形成されるもの、言い換えると、「第２の絶縁層」は「走査配線」上に形成されるものである。そうすると、上記相違点４は、実質的な相違点では無い。
　
（５）相違点５について
ア　本願発明は、「εｄ’/ε’ｄ０．１」の関係（以下「関係式１」という。）と「ＶＳＣＶＰ（１＋εｄ’/ε’ｄ）」の関係（以下「関係式２」という。）を満たすものであるところ、はじめに、関係式１、関係式２の技術的な意味について検討する。
イ　本願の発明の詳細な説明には、以下の記載がある。
「【００４２】…このように画素電極１９１の切開部集合９２〜９５ｂ下に電圧が印加される維持導電体１７７が配置されている場合、画素電極１９１の切開部集合９２〜９５ｂが
液晶分子の傾斜方向を制御することができる程度の大きさを有する電場の水平成分を形成するため
【００４３】
ＶＳＣＶＰ（１＋εｄ’/ε’ｄ）
ここで、ＶＳＣは維持導電体１７７に印加される電圧であり、ＶＰは画素電極１９１に印加される電圧であり、εとｄは液晶の誘電率及びセル間隔であり、ε’及びｄ’は保護膜１８０の誘電率及び厚さである。
本発明の実施例による薄膜トランジスタ表示板の場合、維持導電体１７７と画素電極１９１には同一のデータ電圧が印加されるので、ＶＳＣとＶＰは等しく、εｄ’/ε’ｄ０．１であるので、上記式を満足する。」（当審注：下線は当審が付加した。）
ウ　ここで、維持導電体による「第１切開部」の電位は、維持導電体の電圧に応じて変わるところ、関係式２の右辺（「ＶＰ（１＋εｄ’/ε’ｄ）」）の値は、画素電極の第１切開部の電位がＶＰとなる場合の維持導電体の電位である。言い換えると、維持導電体に「ＶＰ（１＋εｄ’/ε’ｄ）」の電位を印加すると、維持導電体による画素電極の第１切開部の電位はＶＰになる。この場合、画素電極にも同一の電圧ＶＰが印加されているから、第１切開部に電場の歪曲（電場の水平成分）は生じない。
　関係式２は、維持導電体に印加する電圧ＶＳＣが、「ＶＰ（１＋εｄ’/ε’ｄ）」より小さいことを規定するものであるから、関係式２は、維持導電体による画素電極の第１切開部の電位をＶＰより小さな電位にすること、すなわち、本願明細書の【００４２】に記載される様に、電場の水平成分を形成することを意味するものと解される。
エ　次に、関係式１の左辺は、関係式２の右辺の係数を規定するから、関係式１は、維持導電体による画素電極の第１切開部の電位を、維持導電体の電位よりどの程度低くするか、言い換えると、本願明細書の【００４２】の記載の様に、液晶分子の傾斜方向を制御することができる程度の大きさの電場の水平成分を形成することを意味するものと解される。
オ　上記イ〜エを踏まえて、以下、検討する。
　引用発明は、「前記複数の絵素領域のそれぞれにおいて、前記絵素電極は、少なくとも１つの開口部またはスリット１９ａを有し、前記液晶層は、前記絵素電極と前記対向電極との間に電圧が印加されていないときに垂直配向状態をとり、且つ、前記絵素電極と前記対向電極との間に電圧が印加されたときに、前記絵素電極の前記少なくとも１つの開口部またはスリット１９ａのエッジ部に生成される斜め電界によって配向規制される」ものであるから、「開口部またはスリット１９ａのエッジ部に」「斜め電界」が生成されている。そうすると、引用発明は、「開口部またはスリット１９ａのエッジ部に」電場の水平成分が形成されているから、本願発明の関係式２「ＶＳＣＶＰ（１＋εｄ’/ε’ｄ）」の関係を満たしている。
　また、引用発明は、「前記絵素電極の前記少なくとも１つの開口部またはスリット１９ａのエッジ部に生成される斜め電界によって配向規制され」ているから、液晶分子の傾斜方向を制御することができる程度の大きさの電場の水平成分が形成されていると言える。そして、前記電場の水平成分の大きさをどの程度にするかは、視認性等を考慮して当業者が適宜設定する設計事項であるから、関係式１「εｄ’/ε’ｄ０．１」の関係で規定される大きさに規定することに困難性は無い。
カ　したがって、引用発明は、本願発明の関係式２「ＶＳＣＶＰ（１＋εｄ’/ε’ｄ）」の関係を満たしており、また、本願発明の関係式１「εｄ’/ε’ｄ０．１」の関係を満たすようになすことに困難性は無い。よって、引用発明において、上記相違点５に係る本願発明の発明特定事項を備えることは、当業者が容易に想到し得たことである。
　
（６）作用効果について
　本願発明が奏する作用効果は、引用発明と周知の技術事項に基づいて、当業者が容易に予測しうる程度のものである。
　
（７）まとめ
　したがって、本願発明は、引用発明と周知の技術事項に基づいて、当業者が容易に発明をすることができたものである。
　
６　むすび
　以上のとおり、本願発明は、引用発明と周知の技術事項に基づいて、当業者が容易に発明をすることができたものであるから、特許法第２９条第２項の規定により特許を受けることができない。
　よって、結論のとおり審決する。